(57)【要約】      （修正有）【課題】巻き取り可能であって、投げ釣りに適したイカ釣り装置を提供する。【解決手段】イカ釣り装置１１は、下端がイカ釣り針１８と連結する幹糸１７と、幹糸１７に挿通され幹糸１７に沿って上下方向に相対移動可能な上端円環体３４と、上端円環体３４に連結される浮き２１と、幹糸１７に挿通され幹糸１７に沿って上下方向に相対移動可能な下端円環体３５と、上端が上端円環体３４に連結され、下端が下端円環体３５に連結される副糸２２と、貫通孔を有する。貫通孔に幹糸１７が挿通されて幹糸１７に沿って上下方向に相対移動可能であり、副糸２２の上端と下端との間に取付け固定される錘２３と、下端円環体３５に連結される生餌針とを備える。【選択図】図２
0003154299.tif 000002
【実用新案登録請求の範囲】
【請求項１】
下端がイカ釣り針と連結する幹糸と、前記幹糸に挿通され幹糸に沿って上下方向に相対移動可能な上端円環体と、前記上端円環体に連結される浮きと、前記幹糸に挿通され幹糸に沿って上下方向に相対移動可能な下端円環体と、上端が前記上端円環体に連結され、下端が前記下端円環体に連結される副糸と、貫通孔を有し、該貫通孔に前記幹糸が挿通されて幹糸に沿って上下方向に相対移動可能であり、前記副糸の上端と下端との間に取付け固定される錘と、前記下端円環体に連結される生餌針とを備えるイカ釣り装置。
【請求項２】
前記副糸に所定間隔に取付け固定され、前記幹糸にそれぞれ挿通される複数の小環をさらに備える、請求項１に記載のイカ釣り装置。
【請求項３】
前記小環は、幹糸が挿通される幹糸孔と、前記幹糸孔と平行に延在し副糸が挿通固定される副糸孔とを有する、請求項２に記載のイカ釣り装置。
【請求項４】
前記幹糸に設けられ、前記上端円環体の上方への移動の終端を規定する浮き止めをさらに備える、請求項１〜３のいずれかに記載のイカ釣り装置。
【請求項５】
前記浮き止めと前記上端円環体との間において、前記幹糸に挿通され幹糸に沿って上下方向に相対移動可能なシモリ玉をさらに備える、請求項４に記載のイカ釣り装置。
【請求項６】
前記幹糸に挿通され、前記生餌針と前記イカ釣り針を離隔させるチューブをさらに備える、請求項１〜５のいずれかに記載のイカ釣り装置。
【考案の詳細な説明】
【技術分野】
【０００１】
本考案はイカの捕食習性を利用したイカ釣り用仕掛けに関する。
【背景技術】
【０００２】
イカ釣り手法において、小アジ等の生餌を用いるイカのおとり釣りが近年人気を博してきている。従来のイカのおとり釣りに関する技術として、特開２００２−５８４０４号公報（特許文献１）及び特開２００２−１２５５５０号公報（特許文献２）がある。
【０００３】
特許文献１のイカ釣り用仕掛けは、下端にイカ釣り針を有する幹糸と、下端に生餌針を有する副糸とが繋留管によって仮固定されている。さらに、前記幹糸と副糸とを複数の小環に共に挿通させることによって、幹糸と副糸が絡まず、且つ生餌が常に幹糸の近接に位置するような構造を備える。この構造によって、生餌が幹糸に沿って上下に自由に遊泳できることから、生餌の早期弱体化を防ぐことができる。そして、イカが生餌に食いついてイカが副糸を強く引くと、繋留管にて仮固定された副糸がイカ釣り針の方へすり落ちて、幹糸の下端にあるイカ釣り針がイカに突き刺さり、効率よくイカを引掛けることができるものである。
【０００４】
また特許文献２のイカ釣り用仕掛けは、幹糸の下端にイカ釣り針を固定し、副糸を弾性体で形成し、副糸の上端を連結具によって幹糸の中程に固定し、副糸の下端に管状のガイド体を有する生餌針を固定し、ガイド体に幹糸を挿通させることによって、生餌が幹糸に沿って上下に自由に遊泳できるというものである。この構造によって、イカが生餌に食いつきイカの引く力が副糸に加わると、副糸が弾性変形して伸張し、イカが生餌とともにガイド体に案内されて幹糸の下端に向かう。そしてイカ釣り針がイカに突き刺さり、効率よくイカを引掛けることができるものである。
【先行技術文献】
【特許文献】
【０００５】
【特許文献１】特開２００２−５８４０４号公報
【特許文献２】特開２００２−１２５５５０号公報
【考案の概要】
【考案が解決しようとする課題】
【０００６】
しかしながら、特許文献１に記載のイカ釣り用仕掛けは船釣りに適用されるものであって、投げ釣りに適用することができなかった。すなわち、特許文献１に記載のイカ釣り用仕掛けは生餌針を連結している副糸が繋留管からすり落ちる構造となっているために、投げ釣りの際、生餌に強い遠心力がかかると、目標地点に着水する前に副糸がすり落ちる可能性がある。
【０００７】
また、特許文献１に記載のイカ釣り用仕掛けにあっては、繋留管よりも上方の位置で錘が幹糸に固定されているため、錘より下方にあるイカ釣り用仕掛けを釣り竿のリール（巻き上げ装置）によって巻きとれない。したがって、仕掛けが長くなってしまい、投げ釣りに用いることができないという問題がある。
【０００８】
また特許文献２に記載のイカ釣り用仕掛けにあっては、連結具にて幹糸及び副糸を固定する構造を有し、連結具が幹糸に沿って上下移動ができない構造となっている。このため、特許文献１の課題と同様に、連結具より下方のイカ釣り用仕掛けを巻きとれないといった問題がある。
【０００９】
本考案は、上記課題を解決し、巻き取り可能であって、投げ釣りに適したイカ釣り装置を提供することを目的とする。
【課題を解決するための手段】
【００１０】
本考案のイカ釣り装置は、下端がイカ釣り針と連結する幹糸と、この幹糸に挿通され幹糸に沿って上下方向に相対移動可能な上端円環体と、上端円環体に連結される浮きと、幹糸に挿通され幹糸に沿って上下方向に相対移動可能な下端円環体と、上端が上端円環体に連結され、下端が下端円環体に連結される副糸と、貫通孔を有し、該貫通孔に幹糸が挿通されて幹糸に沿って上下方向に相対移動可能であり、副糸の上端と下端との間に取付け固定される錘と、下端円環体に連結される生餌針とを備える。
【００１１】
かかる本考案によれば、浮き、副糸、生餌針が、幹糸に沿って上下方向に相対移動可能な円環体に連結され、且つ幹糸に沿って上下方向に相対移動可能である錘が副糸の上端と下端との間に取付け固定されている。これにより、イカ釣り用仕掛けの構成要素である生餌針と、浮きと、これら生餌針と浮きとの間に配置された副糸、錘とが、全て円環体とともに幹糸に沿って上下移動することが可能である。したがって、釣り竿に設けられたリール（巻き上げ装置）で幹糸を巻き上げ、上端円環体と下端円環体との間の距離を縮めることによって、イカ釣り用仕掛けをコンパクトに縮小することが可能となる。
【００１２】
イカ釣り用仕掛けは、副糸に所定間隔に取付け固定され、幹糸にそれぞれ挿通される複数の小環をさらに備えてもよい。かかる実施形態によれば、所定間隔に副糸に取付け固定され、幹糸にそれぞれ挿通された複数の小環により、イカ釣り用仕掛けをコンパクトに縮小しても、副糸が絡まったり、幹糸ともつれたりすることを防止することができる。
【００１３】
好ましい実施形態として、小環は幹糸が挿通される幹糸孔と、幹糸孔と平行に延在し副糸が挿通固定される副糸孔とをさらに有してもよい。かかる実施形態によれば、小環をイカ釣り用仕掛けに取付ける作業が容易となる。また、小環の形状がこのように簡潔化されることによって、小環の量産化を容易にすることができる。
【００１４】
イカ釣り用仕掛けは、幹糸に設けられ、上端円環体の上方への移動の終端を規定する浮き止めをさらに備えてもよい。かかる実施形態によれば、上端円環体が幹糸に沿って上方に移動できる範囲を規定できるため、上端円環体に連結されている浮きの位置、すなわち海水面から、幹糸の下端に連結されたイカ釣り針までの距離を規定することが可能となる。
【００１５】
イカ釣り用仕掛けは、浮き止めと上端円環体との間において、幹糸に挿通され幹糸に沿って上下方向に相対移動可能なシモリ玉をさらに備えてもよい。かかる実施形態によれば、上端円環体の上方移動の終端を規定するための要素として、汎用釣り道具であるシモリ玉を利用できることから、浮き止めを、例えば釣り糸の結び目のように小型簡略化することが可能となる。
【００１６】
イカ釣り用仕掛けは、幹糸の下端部に挿通されて生餌針とイカ釣り針を離隔させるゴムチューブをさらに備えてもよい。かかる実施形態によれば、生餌針とイカ釣り針を適宜に離隔させるゴムチューブを備えることから、釣り糸をリールで巻き取りイカ釣り用仕掛けをコンパクトに縮小したときに、イカ釣り針が生餌に突き刺さることを防止することができる。
【考案の効果】
【００１７】
本考案のイカ釣り装置によれば、浮き、副糸、生餌針が、幹糸に沿って上下方向に相対移動可能な円環体に連結され、且つ幹糸に沿って上下方向に相対移動可能である錘が副糸の上端と下端との間に取付け固定されている。
【００１８】
これにより、イカ釣り用仕掛けの構成要素である生餌針と、浮きと、これら生餌針と浮きとの間に配置された副糸、錘とが、全て円環体とともに幹糸に沿って上下移動することが可能である。
【００１９】
したがって、釣り竿に設けられたリールで幹糸を巻き上げ、上端円環体と下端円環体との間の距離を縮めることによって、イカ釣り用仕掛けをコンパクトに縮小することが可能となり、持ち運びおよび取扱に有利である。さらに、船釣りの他、投げ釣りにも適用可能となり、様々な場所でイカのおとり釣りを楽しむことができる。
【図面の簡単な説明】
【００２０】
【図１】本考案の一実施形態になるイカ釣り装置をコンパクトに縮小させた状態を模式的に示す全体図である。
【図２】同実施形態のイカ釣り装置の使用状態を模式的に示す全体図である。
【図３】イカがイカ釣り装置の生餌に取りつき、生餌を引いている状態を模式的に示す拡大図である。
【図４】同実施形態の小環を示す横断面図である。
【図５】同実施形態の小環を示す側面図である。
【図６】同実施形態の錘を示す縦断面図である。
【考案を実施するための形態】
【００２１】
以下、本考案の一実施形態を、図面に基づき詳細に説明する。図１は、釣り糸をリールで巻き取り、イカ釣り装置全体をコンパクトに縮小させた状態を示している。
【００２２】
イカ釣り用仕掛け１１は、釣り糸の先端部に設けられている。釣り竿１２は釣り糸を巻き取るためのリール１４を有する。釣り糸はリール１４から繰り出されて釣り竿１２に沿って延び、釣り竿１２の先端から垂れ下っている。
【００２３】
釣り糸の途中には後述する浮き止めが設けられている。図１において浮き止めはリールに巻きとられており表示されていない。浮き止めより先のイカ釣り用仕掛けの部分、すなわちイカ釣り用仕掛け１１の構成要素を本実施形態では幹糸と称する。
【００２４】
幹糸１７は、上下方向に延び、下端がイカ釣り針１８と連結している。イカ釣り針１８は、イカを引掛ける効果を上げるために複数の鈎が放射状に配設された形態を有し、それぞれの鈎の先端部は幹糸中心軸から外側に向けて突き出ている。イカ釣り針１８のイカ釣り針１８の下方、すなわちイカ釣り用仕掛け１１の最下端にはイカ釣り針用錘１９が連結されている。
【００２５】
幹糸１７に、幹糸に沿って上下方向へ相対移動することが可能である上端円環体３４と下端円環体３５が挿通されている。上端円環体３４には浮き２１および副糸２２の上端が連結されている。下端円環体３５には副糸２２の下端と、生餌を取り付けるための生餌針２０が連結されている。
【００２６】
副糸２２の上端と下端の間には貫通孔を有する錘２３が取付け固定されており、錘２３は幹糸１７に挿通され幹糸に沿って上下方向へ相対移動することが可能である。
【００２７】
上端円環体３４と錘２３の間の副糸２２、および、錘２３と下端円環体３５の間の副糸２２には、所定間隔ごとに複数の小環２４が取付け固定されており、それら小環２４はそれぞれ幹糸１７に上方から順に挿通されている。
【００２８】
これら複数の小環２４によって副糸２２は幹糸１７に沿って上下方向に相対移動することが可能であり、且つ副糸２２と幹糸１７とが、上端円環体３４と錘２３との間、もしくは錘２３と下端円環体３５との間において、絡み合ってしまうことを防ぐ効果がある。
【００２９】
また、上端円環体３４に連結された浮き２１、錘２３、下端円環体３５に連結された生餌針２０はすべて、幹糸１７に沿って相対的に上下方向へ移動することができる。
【００３０】
上端円環体３４と最上端に挿通された小環２４との間と、下端円環体３５とイカ釣り針１８との間には、一定の距離を確保させるためのゴムチューブ２５が挿通されている。また、イカ釣り仕掛け１１の最上端には円環状のシモリ玉１５が幹糸１７に挿通されている。
【００３１】
幹糸１７の下端に連結されたイカ釣り針１８から一定距離上方に釣り糸の結び目による浮き止めがあり、この浮き止めによってシモリ玉１５および浮き２１がそれより上方へ移動することを防いでいる。
【００３２】
かかる実施形態のようなイカ釣り用仕掛け１１は、イカ釣り針１８、イカ釣り針用錘１９、結び目による浮き止め以外の構成要素すべてが幹糸１７に沿って上下方向への相対移動が可能であることから、イカ釣り用仕掛け１１をコンパクトに縮小する（巻き取る）ことが可能となる。すなわち、イカ釣り用仕掛け１１を縮小させている状態では、小環２４が幹糸に沿って一列に隣接し、小環２４の間にある副糸２２は撓んだ状態となるため、イカ釣り用仕掛け１１の上端にあるシモリ玉１５から下端にあるイカ釣り針１８まで、幹糸１７に挿通されている各構成要素間の距離を大幅に縮めて収納することができる。
【００３３】
図２は、同実施形態のイカ釣り装置の使用状態を模式的に示す全体図である。イカ釣り用仕掛け１１が投擲されるとまず幹糸１７がリールより繰り出されて、次いで浮き止めより後の釣り糸１３が繰り出される。海水面１０２に着水した後、イカ釣り用仕掛け１１は、錘２３およびイカ釣り針用錘１９によって海水中１０１の下方に沈んでいく。
【００３４】
また、上端円環体３４に取付けられた浮き２１は浮力により海水面１０２にとどまる。そのため、上端円環体３４と副糸２２によって連結されている錘２３との距離が上下方向に伸びて、副糸２２に一定間隔で取り付けられた小環２４の間の副糸２２が伸張するために、図２のように上端円環体３４と錘２３との間の副糸２２は幹糸１７に沿って全体的に伸張する。ここで、浮き２１が常に海水面１０２に位置するためには、浮き２１の浮力が錘２３の重力より大きくなるようにする事が不可欠となる。
【００３５】
錘２３より下方の幹糸１７およびイカ釣り針１８はイカ釣り針用錘１９によってさらに下方へと沈下していく。生餌２６は、下端円環体３５に連結された生餌針２０に固定されている。
【００３６】
前述のように、幹糸１７には、幹糸１７の下端に連結されたイカ釣り針１８から一定距離上方に浮き止め１６がある。浮き止め１６がシモリ玉１５および上端円環体３４の上方移動の終端を規定している。
【００３７】
上端円環体３４と錘２３との間で撓んでいた副糸２２がほぼ真直ぐに延びた時点で錘２３の下方沈下が止まる。また、シモリ玉１５および上端円環体３４が、浮き止め１６によって幹糸１７に沿った上方へのスライド移動を制止されると、イカ釣り針１８およびイカ釣り針用錘１９の海中１０１の下方への沈下が止まる。
【００３８】
浮き止め１６の位置を変えることによって、海水中１０１における生餌２６とイカ釣り針１８との間の距離を調整することができる。つまり、上端円環体３４と生餌２６との間の距離は、副糸２２の長さによって決まる定尺であり、浮き止め１６より下方の釣り糸１３、すなわち幹糸１７の長さをより長くすれば、生餌２６とイカ釣り針１８との間の距離がより離れ、イカ釣り針１８に対するイカの警戒感を和らげることができる。
【００３９】
逆に、幹糸１７の長さをより短くすれば、生餌２６とイカ釣り針１８との間の距離が近づき、イカが生餌を引き出してからイカ釣り針１８に到達するまでの距離を短縮させることができる。このような構造とすることによって、生餌２６とイカ釣り針１８との距離を適宜に調整することが可能となる。
【００４０】
前述のように、生餌２６が取付けられている生餌針２０は、幹糸１７に沿って上下方向へ相対移動可能である下端円環体３５に連結されている。したがって生餌２６は、錘２３の下方を矢印のように自由に遊泳移動することが可能であり、またイカ釣り針１８に触れる危険性もない。且つ、生餌２６がどの方向に遊泳しようとも、幹糸１７の下端に連結されているイカ釣り針１８は生餌２６に追随して移動する。
【００４１】
また、主たる錘２３は生餌２６の上方にあるために、錘２３の下方にて遊泳する生餌２６に対する大きな負担とはならない。そして、イカ釣り用仕掛け１１の最下端にあるイカ釣り針用錘１９の質量をより軽く設定することによって、生餌２６の自由遊泳への負担をさらに軽減させることができる。
【００４２】
このように海水中１０１での生餌の自由な遊泳を実現することによって、イカの捕食習性を刺激しイカが生餌に取りつく効果をあげると共に、生餌の弱体化を防ぐ効果をもたらす。
【００４３】
図３はイカが生餌に取りつき、生餌を引いている状態を模式的に示す図である。イカ２７はイカ本来の習性として、生餌２６に取りついたあとすぐにその場で食すのではなく、矢印で示すように海底に引きずり込んで安全なところまで運ぼうとする。すなわち、イカ２７は生餌２６を強い力で任意の方向へ引く。
【００４４】
生餌２６に強い引き力が加わると、下端円環体３５、副糸２２、上端円環体３４を通じて生餌針２０と連結されている、浮き２１、錘２３、小環２４が、生餌２６とともにイカが向かう方向へ幹糸１７に対してスライドしながら移動していく。すると、下端円環体３５に挿通されている幹糸１７の下端に連結されているイカ釣り針１８は、下端円環体３５によってガイドされて相対的にイカ２７に近づいて行き、高い確率でイカ２７を引掛ける。
【００４５】
また、イカ２７が生餌２６を引き、浮き２１が海水面１０２より下方に沈み込むと、それを察知した釣り人がリール１４を操作し、釣り糸１３を巻き上げる。それによって、幹糸１７と幹糸１７の下端に連結されたイカ釣り針１８が上方へと移動する。すると幹糸１７が挿通されている下端円環体３５によってガイドされ、イカ釣り針１８が相対的にイカ２７に近づいて行き、高い確率でイカ２７を引掛けることもできる。
【００４６】
図４は小環２４を模式的に示す横断面図である。図５は小環２４を模式的に示す側面図である。小環２４には幹糸１７より大きな直径の幹糸孔３０が開いており、その幹糸孔３０に幹糸１７が挿通されている。これにより小環２４は幹糸１７に沿って上下方向に自由に移動できるようになっている。さらに、小環２４は幹糸孔３０と平行に延在し、副糸２２が挿通固定される副糸孔２９を有する。副糸２２は副糸孔２９へ挿通され、接着剤にて固着される。
【００４７】
図６は錘２３を模式的に示す縦断面図である。錘２３は、錘用管状体３１と、錘用管状体３１の上端に取付けられた浮き部３３と、錘用管状体３１の下端に取付けられた質量体３２とを備える。錘用管状体３１および浮き部３３および質量体３２はそれぞれ、同軸・同径である貫通孔、錘用管状体貫通孔３１ｈ、浮き部貫通孔３３ｈ、質量体貫通孔３２ｈを有する。これらの貫通孔に幹糸１７が挿通されているため、錘２３は幹糸１７に沿って上下方向に自由に相対移動することができる。
【００４８】
錘２３より上方に位置する副糸２２ａは浮き部３３の上部に固着されており、錘２３より下方に位置する副糸２２ｂは質量体３２の下部に固着されている。
【００４９】
ここで、錘２３は必ず質量体３２が下方となるように幹糸１７に挿通される必要がある。これにより、海水中１０１において錘２３の浮き部３３が常に上方に位置し、質量体３２が常に下方に位置するようになる。これにより、海水中１０１における錘２３の上下方向が常に安定し、イカ釣り仕掛け１１を安定させて海水中１０１の下方に沈下させることができる。
【００５０】
以上、図面を参照してこの考案の実施の形態を説明したが、この考案は、図示した実施の形態のものに限定されない。図示した実施の形態に対して、この考案と同一の範囲内において、あるいは均等の範囲内において、種々の修正や変形を加えることが可能である。
【産業上の利用可能性】
【００５１】
本考案は、投げ釣りに適した、より高いイカの捕獲効果を有するイカ釣り用仕掛けであり、イカ釣り産業への幅広い利用が期待できる。
【符号の説明】
【００５２】
１１  イカ釣り用仕掛け、１２  釣り竿、１３  釣り糸、１４  リール、１５  シモリ玉、１６  浮き止め、１７  幹糸、１８  イカ釣り針、１９  イカ釣り針用錘、２０  生餌針、２１  浮き、２２  副糸、２２ａ  錘上方の副糸、２２ｂ  錘下方の副糸、２３  錘、２４  小環、２５  ゴムチューブ、２６  生餌、２７  イカ、２９  副糸孔、３０  幹糸孔、３１  錘用管状体、３１ｈ  錘用管状体貫通孔、３２  質量体、３２ｈ  質量体貫通孔、３３  浮き部、３３ｈ  浮き部貫通孔、３４  上端円環体、３５  下端円環体、１０１  海水中、１０２  海水面。
【図１】
0003154299.tif 000003
【図２】
0003154299.tif 000004
【図３】
0003154299.tif 000005
【図４】
0003154299.tif 000006
【図５】
0003154299.tif 000007
【図６】
0003154299.tif 000008